(57)【要約】【課題】近傍界において相互に影響し合うアンテナ間での通信において、アンテナ間の位置関係の変化による誘電体の波長短縮効果に起因するアンテナ特性の悪化を改善できるようにする。【解決手段】ＩＣタグが保持している情報を読み書きするリーダライタ装置であって、エレメント長を可変に構成し、ＩＣタグとの間で無線により信号の送受信を行うためのアンテナと、通信経路上のエラーを検出するエラー検出手段と、エラー検出手段による検出結果に基づいてアンテナのエレメント長の調整を行うエレメント長調整手段と、を有する。【選択図】図１
2012039362.tif 000002
【特許請求の範囲】
【請求項１】
ＩＣタグが保持している情報を読み書きするリーダライタ装置であって、
エレメント長を可変に構成し、前記ＩＣタグとの間で無線により信号の送受信を行うためのアンテナと、
通信経路上のエラーを検出するエラー検出手段と、
前記エラー検出手段による検出結果に基づいて前記アンテナのエレメント長の調整を行うエレメント長調整手段と、
を有することを特徴とするリーダライタ装置。
【請求項２】
前記エラー検出手段は、前記ＩＣタグへ送信した信号に対する応答信号として前記ＩＣタグから受信した信号の正当性を確認することでエラー検出を行うことを特徴とする請求項１に記載のリーダライタ装置。
【請求項３】
前記通信状態検出手段は、前記ＩＣタグへ送信した信号と該信号に対する応答信号として前記ＩＣタグから受信した信号とを比較してエラー検出を行うことを特徴とする請求項１に記載のリーダライタ装置。
【請求項４】
前記エレメント長調整手段は、前記エラー検出手段によりエラーが検出されるごとに、前記アンテナのエレメント長を調整することを特徴とする請求項１から３のいずれか１項に記載のリーダライタ装置。
【請求項５】
前記エレメント長調整手段は、前記アンテナのエレメント長が第１の長さの状態で前記エラー検出手段によりエラーが検出された場合、該エレメント長を前記第１の長さより短い第２の長さとし、前記アンテナのエレメント長が前記第２の長さの状態で前記エラー検出手段によりエラーが検出された場合、該エレメント長を前記第１の長さとすることを特徴とする請求項１から４のいずれか１項に記載のリーダライタ装置。
【請求項６】
前記アンテナは、前記ＩＣタグとの通信開始時においてエレメント長が第２の長さより長い第１の長さであることを特徴とする請求項１から５のいずれか１項に記載のリーダライタ装置。
【請求項７】
前記エラー検出手段は、巡回冗長検査方式によりエラー検出を行うことを特徴とする請求項１から６のいずれか１項に記載のリーダライタ装置。
【請求項８】
前記アンテナは、第１エレメントと、第２エレメントと、前記第１エレメントと前記第２エレメントの接続又は切断を行うためのスイッチと、を有し、
前記エレメント長調整手段は、前記エラー検出手段による検出結果に基づいて前記スイッチの切り替えを行い、前記アンテナのエレメント長の調整を行うことを特徴とする請求項１から７のいずれか１項に記載のリーダライタ装置。
【請求項９】
前記アンテナは、第１エレメントと、第２エレメントと、第３エレメントと、前記第１エレメントと前記第２エレメントの接続又は前記第１エレメントと前記第３エレメントの接続を行うためのスイッチと、を有し、
前記エレメント長調整手段は、前記エラー検出手段による検出結果に基づいて前記スイッチの切り替えを行い、前記アンテナのエレメント長の調整を行うことを特徴とする請求項１から７のいずれか１項に記載のリーダライタ装置。
【請求項１０】
前記スイッチは、前記第１エレメントにおける前記エレメント長調整手段と接続している側の端部又は前記接続している側と反対側の端部に設けられていることを特徴とする請求項９に記載のリーダライタ装置。
【請求項１１】
ＩＣタグが保持している情報を読み書きする際のアンテナ特性の調整方法であって、
前記ＩＣタグへ無線により信号の送信を行う信号送信ステップと、
前記信号送信ステップで送信した信号に対する応答信号として、前記ＩＣタグから信号を受信する信号受信ステップと、
通信経路上のエラーを検出するエラー検出ステップと、
前記エラー検出ステップによる検出結果に基づいて、エレメント長を可変に構成されたアンテナのエレメント長の調整を行うエレメント長調整ステップと、
を有することを特徴とするアンテナ特性の調整方法。
【請求項１２】
ＩＣタグが保持している情報を読み書きするリーダライタ装置に用いられるプログラムであって、
コンピュータに、
前記ＩＣタグへ無線により信号の送信を行う信号送信処理と、
前記信号送信処理で送信した信号に対する応答信号として、前記ＩＣタグから信号を受信する信号受信処理と、
通信経路上のエラーを検出するエラー検出処理と、
前記エラー検出処理による検出結果に基づいて、エレメント長を可変に構成されたアンテナのエレメント長の調整を行うエレメント長調整処理と、
を実行させることを特徴とするプログラム。
【発明の詳細な説明】
【技術分野】
【０００１】
本発明は、リーダライタ装置、アンテナ特性の調整方法及びプログラムに関し、特に、電磁界や電波等を用いた近傍界での無線通信により情報のやり取りを行うＲＦＩＤにおいて好ましく適用される技術に関するものである。
【背景技術】
【０００２】
近年、生産管理、物流管理、物品管理等を効率化するために、電磁界や電波等を用いた近傍界での無線通信により情報のやり取りを行うＲＦＩＤが利用されている。一般に、ＲＦＩＤによる管理システムは、ＩＣタグ、ＩＣタグが保持している情報を読み書きするリーダライタ、リーダライタが読み取った情報を処理する上位システムから構成され、管理物品に付されたＩＣタグから情報を読み取り、管理物品の管理を行う。このようなＲＦＩＤを用いた管理システムは、従来からあるバーコードによる管理システムに比べ、情報量が大幅に増え、情報の書き換えが可能な点に利点があり、また、ＩＣタグの低コストが進むにつれてさらに多くの用途に用いることが可能となる。
【０００３】
ＩＣタグは、実際のメモリとして機能するＩＣチップ部、通信内容のエンコード・デコード等を行う制御部、ＩＣチップ部に電源を供給するとともに情報の送受信用のアンテナとして機能するアンテナ部から構成される。リーダライタは、ＩＣタグに対して電源を供給するとともに情報の送受信を行うアンテナ部、通信内容のエンコード・デコードや上位システムとの通信を行う制御部から構成される。上位システムは一般的にパソコンが利用され、シリアルポートやＵＳＢポート等を経由してリーダライタと通信を行う。
【０００４】
ＲＦＩＤを用いた管理システムでは、ＩＣタグ及びリーダライタ双方のアンテナ間で無線通信を行うにあたり、双方のアンテナを使用する無線帯域（周波数）にマッチングさせる必要があることは当然であるが、アンテナ間の位置関係が流動的で距離が近づいたときに相互に影響を及ぼし合い、図４に示すように、結果的に使用する帯域でのアンテナ特性が悪化してしまう場合がある。ここでいうアンテナ特性は、狭義的にピーク周波数（最も感度の良い周波数）を指す。ＩＣタグとリーダライタとが接近することで、それぞれのアンテナを収容するケースや各装置を持つ手等から受ける影響としての誘電体の波長短縮効果が生じ、これによってピーク周波数が下がる（使用する周波数からずれる）という現象が起きてしまう。
【０００５】
一方、近傍界通信以外では、ＲＦＩＤの場合のような問題は生じない。例えばテレビ用アンテナでは、アンテナは近傍の金属等から離して設置されるため、アンテナ特性に干渉するものが存在しない。また、例えば携帯電話用アンテナやＰＣ内蔵無線ＬＡＮアンテナでは、固定した周囲物（アンテナを収容するケース等）に合わせたアンテナ特性を予め考慮した上で使用するため、アンテナ間の位置関係の変化による誘電体の波長短縮効果に起因したアンテナ特性の悪化は起こらない。
【０００６】
このようなＲＦＩＤ特有の問題に対して、近傍界通信以外のように、装置を構成する際に使用帯域にてアンテナ特性を満たすように設計し、実際に装置を使用することで対応することも考えられるが、ＩＣタグとＩＣタグが付される管理物品との位置関係や、管理物品の材質・量、管理物品を収容する梱包物の材質・量等によって、アンテナ特性が変化するため、一概に有効な方法ともいえない。
【０００７】
例えば特許文献１には、様々な使用環境の変化による送受信感度の低下を抑制するために、使用環境の変化に応じてアンテナの長さを変化させ、最も狭い空間を使用するとともに周波数バンドの多重化に対応する移動通信端末のアンテナ装置が開示されている。当該アンテナ装置は、第１アンテナと、第１アンテナに接続され、移動通信端末の送受信品質に応じて第１アンテナの長さを変化させるアンテナ長調整部と、を備えている。
【先行技術文献】
【特許文献】
【０００８】
【特許文献１】特開２００６−８１１８１号公報
【発明の概要】
【発明が解決しようとする課題】
【０００９】
アンテナの特性は、周囲に何もない自由空間の中では固定的な特性を示す。そして、使用環境における特性変化があった場合でも実用可能なアンテナとするための方法として、必要な帯域に対して十分に広いアンテナ特性を持たせる（より広い周波数で必要な利得が得られるようにする）ことが考えられる。しかし、外形や容積を小さくしていった場合には良好な特性の帯域は狭くなるのが一般的であり、場合によっては十分な通信性能を確保できないこともあるため、常に有効な方法とはいえない。
【００１０】
また、特許文献１は、携帯電話等の移動体通信端末機のアンテナ特性を調整する方法に関するもので、基地局と定期的に通信してＲＳＳＩ（受信強度を測定するための信号）を監視し、狙いの（最も感度の良い）受信強度となるようなアンテナ長に調整するように構成されている。携帯電話では、電源を切っている場合を除けば常に通信している状態といえ（待ち受け状態もある）、このため、設計仕様上からＲＳＳＩを常に監視し、エレメント長の調整（同文献）やアンテナの選択によりアンテナ特性を最適な状態にしておく手法を採用できる。
【００１１】
しかし、ＲＦＩＤでは、ＩＣタグが通信可能範囲内に存在しなければ通信できないため、携帯電話の場合のようにＲＳＳＩを常に監視して受信レベルを予め見ておくことはできない。確かに、ＩＣタグが通信可能範囲内にあれば、該タグを読む際にＲＳＳＩのレベルを見て、最も感度の良い受信強度となるようなアンテナ長に調整することは、理論的には可能である。ところが、ＲＦＩＤでは、ＩＣタグが移動してリーダライタとの位置関係（距離）が常に変化しており、このことによる誘電体の波長短縮効果に起因したアンテナ特性の悪化が生じるという特有の事情があるため、読み取ったＲＳＳＩに基づいたアンテナ長の調整を行った時点において既に最適の受信強度となっていないことが想定される。つまり、特許文献１で開示されたアンテナ特性の調整方法をＲＦＩＤの場合に適用したとしても、上述したような問題を解決することはできない。
【００１２】
そこで、本発明は、上述した事情に鑑みて、近傍界において相互に影響し合うアンテナ間での通信において、アンテナ間の位置関係の変化による誘電体の波長短縮効果に起因するアンテナ特性の悪化を改善できるようにすることを目的とする。
【課題を解決するための手段】
【００１３】
本発明の一側面であるリーダライタ装置は、ＩＣタグが保持している情報を読み書きするリーダライタ装置であって、エレメント長を可変に構成し、ＩＣタグとの間で無線により信号の送受信を行うためのアンテナと、通信経路上のエラーを検出するエラー検出手段と、エラー検出手段による検出結果に基づいてアンテナのエレメント長の調整を行うエレメント長調整手段と、を有するものである。
【００１４】
本発明の一側面であるアンテナ特性の調整方法は、ＩＣタグが保持している情報を読み書きする際のアンテナ特性の調整方法であって、ＩＣタグへ無線により信号の送信を行う信号送信ステップと、信号送信ステップで送信した信号に対する応答信号として、ＩＣタグから信号を受信する信号受信ステップと、通信経路上のエラーを検出するエラー検出ステップと、エラー検出ステップによる検出結果に基づいて、エレメント長を可変に構成されたアンテナのエレメント長の調整を行うエレメント長調整ステップと、を有するものである。
【００１５】
本発明の一側面であるプログラムは、ＩＣタグが保持している情報を読み書きするリーダライタ装置に用いられるプログラムであって、コンピュータに、ＩＣタグへ無線により信号の送信を行う信号送信処理と、信号送信処理で送信した信号に対する応答信号として、ＩＣタグから信号を受信する信号受信処理と、通信経路上のエラーを検出するエラー検出処理と、エラー検出処理による検出結果に基づいて、エレメント長を可変に構成されたアンテナのエレメント長の調整を行うエレメント長調整処理と、を実行させるものである。
【発明の効果】
【００１６】
本発明によれば、近傍界において相互に影響し合うアンテナ間での通信において、アンテナ間の位置関係の変化による誘電体の波長短縮効果に起因するアンテナ特性の悪化を改善することが可能となる。
【図面の簡単な説明】
【００１７】
【図１】本発明の実施形態に係るリーダライタ装置の構成図である。
【図２】本発明の実施形態に係るリーダライタ装置のアンテナ部（エレメント長可変アンテナ）の構成図である。
【図３】本発明の実施形態に係るアンテナ特性調整処理のフローチャートである。
【図４】本発明の実施形態に係るアンテナ特性調整処理によるアンテナ特性の変化の説明図である。
【発明を実施するための形態】
【００１８】
先にも述べたように、携帯電話の場合、待ち受け状態もあり常に通信している状態にあるといえるため、設計仕様上からＲＳＳＩを常に監視し、アンテナの選択やエレメント長の調整により最適な受信強度の状態にしておくという手法を採用している。一方で、ＲＦＩＤにおいては、ＩＣタグが通信可能範囲になければ信号を送ったとしても応答が得られないため、携帯電話の場合のようにＲＳＳＩにより受信レベルを予め見ておくことはできない。
【００１９】
そこで、本発明では、ＩＣタグが遠い位置（通信可能範囲内でアンテナ特性に影響を受けない位置）にある場合に最適なアンテナのエレメント長、近い位置（通信可能範囲内でアンテナ特性に影響を受ける位置）にある場合に最適なエレメント長をそれぞれ定義し、常にＩＣタグと通信（信号のやり取り）を行いながら、ＩＣタグとの通信内容に応じてエレメント長の調整を行う。これが本発明の原理であり、基本的な考え方であるが、一例を挙げると次のとおりとなる。
【００２０】
ＩＣタグとの通信開始時には、一般にＩＣタグの遠い位置から信号のやり取りがスタートすると考える。例えば、通信開始後、ＩＣタグへの送信信号とＩＣタグからの受信信号をＣＲＣにより比較し、エラーが検出された場合はＴＡＧが近い位置に到達したと判定し、遠い位置に最適なエレメント長から近い位置に最適なエレメント長に切り替える。また、近い位置に到達した後、ＣＲＣによる比較を継続し、エラーが検出された場合はＴＡＧが遠い位置に到達したと判定し、近い位置に最適なエレメント長から遠い位置に最適なエレメント長に切り替える。
【００２１】
以下、本発明の実施形態について図面を参照して説明する。
【００２２】
図１は、本発明の実施形態に係るリーダライタ装置の構成図である。リーダライタ装置１は、エレメント長可変アンテナ２、送信回路３、受信回路４、通信制御回路５を有する。エレメント長可変アンテナ２は、上述したアンテナ部に相当する構成で、通信制御回路５からのエレメント長制御信号１３を受けてアンテナのエレメント長の調整を行う。送信回路３は、上述した制御部に相当する構成で、通信制御回路５の送信制御に従って通信内容のエンコードを行い、送信信号１１をエレメント長可変アンテナ２に送出する。受信回路４は、上述した制御部に相当する構成で、通信制御回路５の受信制御に従って、エレメント長可変アンテナ２から受信信号１２を受け取って通信内容のデコードを行う。通信制御回路５は、送信回路３に対する送信制御、受信回路４に対する受信制御、本発明特有の処理としての、ＣＲＣエラー検出処理及びエレメント長可変アンテナ２に対するエレメント長調整処理を行う。
【００２３】
なお、通信制御回路５は、送信回路及び受信回路に対する制御を行う機能、ＩＣタグとの間の通信内容に基づいてエラー検出を行う機能、エラー検出結果の基づいてエレメント長の調整を行う機能を持ち合わせるが、このように回路等を用いてハード的にこれらの機能を実現してもよいし、ソフト的に実現してもよい。ソフト的に実現する例としては、ＲＯＭ等のメモリ及びＣＰＵを用いて、メモリに格納されたプログラムをＣＰＵが読み出すことにより、上記送受信制御を行う手段、上記エラー検出を行う手段、上記エレメント長の調整を行う手段が主記憶上に構成する。
【００２４】
図２は、本発明の実施形態に係るリーダライタ装置のエレメント長可変アンテナの構成図である。エレメント長の調整に用いる追加的なエレメントを基本となるエレメントの先端（通信制御回路５あるいは送信回路３・受信回路４との接続側と反対側の端部）にスイッチを介して設けたもの、追加的なエレメントを基本となるエレメントの根元（通信制御回路５あるいは送信回路３・受信回路４との接続側の端部）の設けたものが例として挙げられる。
【００２５】
図２（ａ）は、エレメント長調整のための追加エレメント２２を基本エレメント２１の先端にスイッチ２３を介して設けた例を示す。この例では、通信制御回路５からのエレメント長制御信号１３を受けたスイッチ２３がＯＮ／ＯＦＦを行い、ＯＮによりエレメント長可変アンテナ２を基本エレメント２１及び追加エレメント２２のエレメント長とし、ＯＦＦによりエレメント長可変アンテナ２を基本エレメント２１のエレメント長とする。また、スイッチ２３の初期状態はＯＮとなっており、長いエレメント長の状態でＩＣタグとの通信が開始する。
【００２６】
図２（ｂ）は、エレメント長調整のための追加エレメントＡ２４及び追加エレメントＢ２５を基本エレメント２１の先端にスイッチ２３を介して設けた例を示す。この例では、通信制御回路５からのエレメント長制御信号１３を受けたスイッチ２３が、追加エレメントＡ２４への接続あるいは追加エレメントＢ２５への接続の切り替えを行う。追加エレメントＡ２４はエレメント長が追加エレメントＢ２５より長く構成されている。また、スイッチ２３の初期状態は追加エレメントＡ２４への接続となっており、基本エレメント２１及び追加エレメントＡ２４のエレメント長という、より長いエレメント長の状態でＩＣタグとの通信が開始する。
【００２７】
図２（ｃ）は、エレメント長調整のためのマッチング回路Ａ２８及びマッチング回路Ｂ２９を基本エレメント２１の根元にスイッチＡ２６及びスイッチＢ２７を介して設けた例を示す。この例では、通信制御回路５からのエレメント長制御信号１３を受けたスイッチＡ２６及びスイッチＢ２７が、マッチング回路Ａ２８への接続あるいはマッチング回路Ｂ２９への接続の切り替えを行う。マッチング回路Ｂ２９にはマッチング回路Ａ２８より長いエレメントがさらに接続されており、基本エレメント２１と接続した場合にマッチング回路Ａ２８の場合より長くなるように構成されている。また、スイッチＡ２６及びスイッチＢ２７の初期状態はマッチング回路Ｂ２９への接続となっており、基本エレメント２１及び追加エレメントＢ２６（及び付随するエレメント）のエレメント長という、より長いエレメント長の状態でＩＣタグとの通信が開始する。
【００２８】
図３は、本発明の実施形態に係るアンテナ特性調整処理のフローチャートである。まず、リーダライタ１はＩＣタグとの通信を開始する（ステップＳ１）。通信制御回路５は、ＩＣタグと通信を行う情報について、送信回路３及びエレメント長可変アンテナ２を介して、ＩＣタグに信号を送信する（ステップＳ２）。その後、該信号を受信したＩＣタグからの応答信号が送信され、通信制御回路５は、エレメント長可変アンテナ２及び受信回路４を介して、受信した応答信号に関する情報を取得する（ステップＳ３）。
【００２９】
そして、通信制御回路５は、送信信号の情報と応答信号の情報との比較を行い、ＣＲＣ（巡回冗長検査方式）により応答信号の情報についてエラー検出を行う（ステップＳ４）。一般にＣＲＣでは、データをブロック単位に区切り、ブロック内のデータを計算処理してチェック符号を作成し、データを送るときにこのチェック符号を付加して送信して、受信側でデータとチェック符号の関連が正常かどうかを確認する。本実施形態では、受信信号内のデータに含まれるＣＲＣデータにより、受信データの正当性を確認することで受信信号のエラー検出を行う。フローに戻ると、エラーが検出されなかった場合（ステップＳ５／ＮＯ）、通信制御回路５は、ＩＣタグとの間でデータ通信が正常に行われていると認識し、ＩＣタグとの通信を継続する（ステップＳ７／ＮＯ、ステップＳ２以降）。
【００３０】
一方、エラーが検出された場合（ステップＳ５／ＹＥＳ）、通信制御回路５は、ＩＣタグとの間でデータ通信が正常に行われていないと認識し、エレメント長可変アンテナ２のエレメント長の調整を行う（ステップＳ６）。初期状態はエレメント長が長く設定されているため、１回目にエラーを検出した場合はエレメント長を短くする調整を行う。エレメント長を短く調整した後、２回目にエラー検出した場合はエレメント長を長くする調整を行う。以上の処理をＩＣタグとの通信が終了するまで行う（ステップＳ７／ＮＯ、ステップＳ２以降）
【００３１】
図３に示したフローは、ＩＣタグからの応答信号についてＣＲＣエラーが発生した場合に、アンテナのエレメント長を調整する制御を行ってデータ通信の正常性を確保しようとするものである。ＣＲＣエラーはアンテナ特性に起因するものもあれば、外来ノイズ等によるものもある。アンテナ特性に起因するエラーの場合は、該処理で正しくデータ通信を行えるようにできる可能性が高いが、外来ノイズ等によるエラーは、上記処理でエラーを解消できる可能性は低い。上記処理は、ＩＣタグとリーダライタの位置関係の変化による影響としての誘電体の波長短縮効果に起因するアンテナ特性の悪化を解消するもので、自然発生的な外来ノイズ等に対応するものではなく、外来ノイズの発生は抑制できない。
【００３２】
図４は、本発明の実施形態に係るアンテナ特性調整処理によるアンテナ特性の変化の説明図である。図４において、特性図内の太線の範囲が実際に使用する帯域（使用周波数ｆ０）であり、曲線が下にあるほど効率が良く、最も下にくるとアンテナに入力された電力が全て空間に放出されたことを示す。つまり、曲線が最も下にきたときの周波数はピーク周波数である。ＩＣタグが遠い場合（初期状態）にピーク周波数が使用周波数ｆ０となるように、エレメント長が選択される（図４（ａ））。
【００３３】
ＩＣタグとリーダライタが近づくことで誘電体の波長短縮効果が生じ、ピーク周波数が下がる現象が起きる。つまり、ＩＣタグが近い場合には遠い場合と比較してピーク周波数が下がり、使用周波数ｆ０とずれてしまう（図４（ｂ））。エレメント長が長くなると周波数が低くなり（すなわちピーク周波数も下がる）、エレメント長が短くなると周波数が高くなる（すなわちピーク周波数も上がる）という関係がある。これに着目して、本実施形態では、上記の現象に対して、エレメント長を短縮させることで、周波数を高くして該現象で下がったピーク周波数を上昇させ、使用周波数ｆ０とピーク周波数とが極力一致するようにしている（図４（ｃ））。
【００３４】
上述した実施形態では、通信したデータの内容に着目し、送信データと応答データについてＣＲＣによりエラー検出を行ってエラー検出結果に応じてスイッチの切り替えを行うように構成した。別の例として、スイッチの切り替えを反射波のレベルに基づいて制御するように構成することも可能である。この場合、方向性結合器を用いて反射波の成分を測定し、これが多いときにスイッチを反対側に切り替え、また少なくなったときにさらに反対側（多いことが検出される前の状態）に切り替えるといった制御となる。
【００３５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００３６】
すなわち、本実施形態におけるリーダライタ装置で実行されるプログラムは、先に述べた各手段（送受信制御手段、エラー検出手段、エレメント長調整手段）を含むモジュール構成となっており、実際のハードウエアを用いて具体的手段を実現する。すなわち、コンピュータ（ＣＰＵ）が所定の記録媒体からプログラムを読み出して実行することにより上記各手段が主記憶装置上にロードされて生成される。
【００３７】
本実施形態におけるリーダライタ装置で実行されるプログラムは、インターネット等のネットワークに接続されたコンピュータ上に格納され、ネットワーク経由でダウンロードさせることにより提供されるように構成してもよい。また、上記プログラムをインターネット等のネットワーク経由で提供あるいは配布するように構成してもよい。
【００３８】
また、上記プログラムは、インストール可能な形式又は実行可能な形式のファイルで、フロッピー（登録商標）ディスク、ハードディスク、光ディスク、光磁気ディスク、ＣＤ−ＲＯＭ、ＣＤ−Ｒ、ＤＶＤ、不揮発性のメモリカード等のコンピュータで読み取り可能な記録媒体に記録されて提供されるように構成してもよい。また、上記プログラムは、ＲＯＭ等にあらかじめ組み込んで提供するように構成してもよい。
【００３９】
この場合、上記記録媒体から読み出された又は通信回線を通じてロードし実行されたプログラムコード自体が前述の実施形態の機能を実現することになる。そして、そのプログラムコードを記録した記録媒体は本発明を構成する。
【符号の説明】
【００４０】
１    リーダライタ装置
２    エレメント長可変アンテナ
３    送信回路
４    受信回路
５    通信制御回路
１１    送信信号
１２    受信信号
１３    エレメント長制御信号
２１    基本エレメント
２２，２４，２５    追加エレメント
２３，２６，２７    スイッチ
２８，２９    マッチング回路
【図１】
2012039362.tif 000003
【図２】
2012039362.tif 000004
【図３】
2012039362.tif 000005
【図４】
2012039362.tif 000006